(57)【要約】    【課題】  従来のブラケットと比較してその製造工程が少なく、また、色彩や耐食加工を容易に行えることができるブラケットを提供する。    【解決手段】  柱に固定する基面１１と、その基面１１と垂直に設けられ、梁に固定する支持面１２と、前記基面１１および支持面１２と連続しており、基面１１および支持面１２に対して垂直に設けられるリブ面１３とからなり、所定の形状を有する一枚の鋼板を折り曲げることによって形成される柱と梁とを接続する構造体用ブラケット１０。【選択図】  図１
2006052582.tif 000002
【特許請求の範囲】
【請求項１】
柱と梁とを連設するＬ字型ブラケットであって、
前記柱に固定する基面と、
その基面と垂直に設けられ、前記梁に固定する支持面と、
前記基面および支持面と連続しており、基面および支持面に対して垂直に設けられるリブ面とからなり、
所定の形状を有する一枚の鋼板を折り曲げることによって形成される構造体用ブラケット。
【請求項２】
前記鋼板がメッキ鋼板、ステンレス鋼板またはカラー鋼板である請求項１記載の構造体用ブラケット。
【請求項３】
前記基面および／または支持面の少なくとも一部が折り曲げた鋼板同士が重なって構成されている請求項１記載の構造体用ブラケット。
【発明の詳細な説明】
【技術分野】
【０００１】
本発明は構造体の梁と柱とを連設するときに用いられるＬ字型の構造体用のブラケットに関する。
【背景技術】
【０００２】
【特許文献１】特開２００１−１１５５６５号公報
【０００３】
従来、立体駐車場や屋外建築物などの構造体の梁と柱を連設するブラケット１００は、図７に示すように、長方形状の鋼板を直角に折り曲げて形成されるＬ字型のブラケット本体１０１と、直角三角形状の鋼板を前記ブラケット本体に隅肉溶接することにより形成されるリブ１０２とからなる。このようなブラケットは構造体の外観から見える部位、見えない部位に取り付けられる。そして、両部位への設計要素の一つとして耐食性が要求されており、見える部位には美観性も要求される。このような要求を満たすためにはメッキ加工、塗装加工などの後加工を鋼板に施さなければならない。
【発明の開示】
【発明が解決しようとする課題】
【０００４】
従来のブラケットは二枚の鋼板からなるため、二枚の鋼板を溶接してブラケットを成型後、ペンキや合成樹脂材料等を塗布する後加工を施す必要があった。また、あらかじめ表面加工が行われている鋼板（たとえば、メッキ鋼板、カラー鋼板）を用いることが考えられるが、このような鋼板を溶接するには溶接する部位周辺の表面加工処理を素材が見えるまで剥ぐか特殊な溶接棒を使用しなければならなかった。また、溶接焼けが生じるステンレス鋼板などは使用することができなかった。さらにこのような構造体用ブラケットの製造には溶接にかかるコストの割合が大きいという問題があった。
特許文献１には、当接面と受面とからなるＬ字型のブラケットであり、このＬ字の角部の両端に、内角方向に屈曲されて傾斜する傾斜面が左右対称位置に対向して設けられていることを特徴としている一枚の鋼板から形成される支持ブラケットが開示されている。
しかし、この支持ブラケットも当接面と構造体の柱とを溶接によって固定している。また、立体駐車場や屋外建築物などの大型の構造体に必要である耐久性を充分に満たすものではなかった。
本発明は、従来のブラケットと比較してその製造工程が少なく、また、色彩や耐食加工を容易に行えることができるブラケットを提供することを目的とする。
【課題を解決するための手段】
【０００５】
本発明の構造体用ブラケット（請求項１）は、柱と梁とを連設するＬ字型ブラケットであって、前記柱に固定する基面と、その基面と垂直に設けられ、前記梁に固定する支持面と、前記基面および支持面と連続しており、基面および支持面に対して垂直に設けられるリブ面とからなり、所定の形状を有する一枚の鋼板を折り曲げることによって形成されることを特徴としている。
このようなブラケットであって、前記鋼板がメッキ鋼板、ステンレス鋼板またはカラー鋼板であるものが好ましい（請求項２）。また、前記基面および／または支持面の少なくとも一部が折り曲げた鋼板同士が重なって構成されているものが好ましい（請求項３）。
【発明の効果】
【０００６】
本発明の建築用ブラケット（請求項１）は、所定の形状を有する一枚の鋼板を折り曲げることによって基面、支持面、リブ面を形成しているため、従来に比べて製造工程を少なくして製造でき、その製造コストを下げることができる。また、隅肉溶接を行わないため、使用する鋼板の厚さを薄くすることができる。つまり、一個当たりに使用する鋼板の量を小さくすることができ、製造コストを一層下げることができる。
また本発明のブラケットのリブは設計上荷重を受ける主たる部品であり据付時にはブラケット本体と一固体とならなければならない。荷重を受けるリブの固定は曲げ加工ができる範囲でリブの部分が据付時に固定できるよう成型を施し施工時にボルト／ナット等の固定手段で構造体と共締めすることにより一固体となりリブ本来の機能をはたす。
【０００７】
また本発明のブラケットであって、前記鋼板がメッキ鋼板、ステンレス鋼板またはカラー鋼板である場合（請求項２）、これらの鋼板を直接折り曲げることによってブラケットを成形できるため、ブラケットを製造した後に後加工を施す必要がない。そのため、色彩を有するブラケットまた耐食性の高いブラケットを容易に製造することができる。
【０００８】
さらに、前記基面および／または支持面の少なくとも一部が折り曲げた鋼板同士が重なって構成されている場合（請求項３）、基面および／または支持面での厚さを厚くすることができる。従来ブラケットと柱または梁をボルト／ナットで固着する場合、基面または支持面で負荷が大きい方の負荷に耐えうる板厚、または、据付時に使用するボルト／ナット等の締め付圧または締め付トルクに耐えうる板厚を基準にブラケットに使用される鋼板全体の板厚は設定されていた。しかし、基面または支持面で負荷が大きい方の厚さ、または、基面および／または支持面のボルト／ナットの取り付け部の厚さを、鋼板を重ねるようにして厚くすることにより、他の部位で不必要な厚さを設けることなくブラケットを成型することができ、材料の節減を一層図ることができる。これにより構造体によっては異なるが立体駐車場や屋外建築物などの大型の構造体に使用する鋼板の厚さを１．６〜６．０ｍｍ、好ましくは２．３〜４．５ｍｍとすることができる。
【発明を実施するための最良の形態】
【０００９】
次に本発明のブラケットの実施形態を図面を用いて説明する。図１は本発明のブラケットの実施形態を示す斜視図、図２は図１のブラケットの展開面を示す展開図、図３は図１のブラケットを用いて柱と梁の連設を表す概略図、図４は本発明のブラケットの他の実施形態を示す斜視図、図５は図４のブラケットの展開面を示す展開図、図６ａ、図６ｂは本発明のブラケットのさらに他の実施形態を示す斜視図である。
【００１０】
図１に示す構造体用ブラケット１０は、柱に固定する基面１１と、その基面と垂直に設けられ、梁に固定する支持面１２と、その基面１１および支持面１２の側縁１１ａ、１２ａと連続しており、基面１１および支持面１２に対して垂直に設けられるリブ面１３とからなる。
基面１１および支持面１２には、柱と梁をボルト／ナットによって固定することができるように、取付孔１４ａ、１４ｂが形成されている。
リブ面１３は、その形状が直角三角形であり、直角を形成するがそれぞれ基面１１の側縁１１ａおよび支持面１２の側縁１２ａと連続している。
【００１１】
このような構造体用ブラケット１０は、図２に示すブラケット１０の展開面である鋼板１５を折り曲げて成型することができる。この鋼板１５としては、特に限定されるものではないが、メッキ鋼板、ステンレス鋼板、カラー鋼板の使用が好ましく、特に溶融亜鉛メッキ、電気亜鉛メッキを施した亜鉛メッキ鋼板が好ましい。
【００１２】
鋼板１５は、基面１１を構成する第１長方形１６と、その第１長方形１６と１つの辺（長辺）１８ａで連続しており、支持面１２を構成する第２長方形１８と、その第２長方形の辺１８ａと連続している辺（短辺）１８ｂと直角を挟む２辺のうち一方の辺２０ａで連続している２つの直角三角形２１と、直角三角形の直角を挟む２辺のうち他方の辺２０ｂと連続している２つの第３長方形２２とからなる。また、第１長方形１６と第３長方形２２には同じ大きさの孔２３ａ、２３ｂが互いに直角となるように形成されており、第２長方形１８にも、大きさが異なる孔２４が形成されている。
【００１３】
この鋼板１５を次のように折り曲げてブラケット１０を形成する。始めに、この鋼板１５の両側にある２つの直角三角形２１を第２長方形１８に対して垂直に折り曲げる。次に、第３長方形２２を直角三角形２１に対して垂直に折り曲げる。ここで第３長方形２２を先に折り曲げ、次に直角三角形２１を折り曲げても良い。
最後に第３長方形２２に被さるように第１長方形１６を第２長方形１８に対して垂直に折り曲げる。これにより第１長方形の孔２３ａと第２長方形の孔２３ｂとが互いに重なり、図１の取付孔１４ａを形成し、ブラケット１０が形成される。
このときブラケットの基面１１は第１長方形１６と第３長方形２２によって構成され、支持面１２は第２長方形によって構成される。さらに、リブ面１３は２つの直角三角形２１によって構成される。このとき、ブラケット１０は鋼板１５を折り曲げることによって形成されているため、基面１１の第１長方形１６と第３長方形２２との間にはスプリングバックによる隙間ができることがある。しかし、このブラケット１０をボルト／ナットによって柱に固定することにより、その隙間をボルト／ナットの締め付けによって解消することができ、リブ面１３を固定し、基面１１、支持面１２と一固体を形成する。
【００１４】
このブラケット１０は図３に示すように使用される。始めに基面の取付孔１４ａが柱の所定取付部に位置するように、ブラケット１０を柱２５に当接する。その後、ボルト／ナットによってブラケットの基面１１と柱２４を固着する。次に、梁２６が柱２５に対して垂直となるように、そして、梁の一端が柱２５と当接するように、梁２６を支持面の上に配置させ、支持面１２と梁２６をボルト／ナットによって固着する。このような柱２５または梁２６としては、いわゆるＨ鋼、Ｃ鋼などの建築用鋼材が用いられる。柱２５または梁２６としては、いわゆるＨ鋼、Ｃ鋼、角パイプなどの建築用鋼材が用いられる。
【００１５】
ここでブラケット１０と柱２５は、ボルト／ナットを締め付けることにより基面１１と柱２５との間に発生する摩擦力により固定され梁に加わる重量を支持する。それに対してブラケット１０と梁２６は、梁からかかる重量とボルト／ナットを締め付ける力とにより支持面１２と梁との間に発生する摩擦力により固定されている。この基面１１と柱２５との間および支持面１２と梁との間の締め付けトルクは、構造体の大きさとそれによるブラケットにかかる力によって決定されるが、立体駐車場や屋外建築物の構造体では通常２０〜３００N・ｍ、好ましくは８０〜２４０Ｎ・ｍである。そしてこのようなブラケットを締め付けることに使用されるボルトはその等級がＦ１０Ｔのものが好ましく、また呼びがM１０〜M２０、好ましくはＭ１２〜Ｍ２０である。
【００１６】
しかし、ブラケット１０では、基面１１が鋼板１５の第１長方形１６と第３長方形２２とを重ね合わせて構成しているため、基面１１の厚さは鋼板の厚さの二倍になり、従来の規格より薄い鋼板を用いてブラケットを形成しても、建築物に充分な強度を与えることができる。その結果従来のブラケット１０よりその材料を節減することができる。
【００１７】
また、このように鋼板１５を折り曲げて形成されるブラケット１０はその強度を保つために、その縁が切れている面（第１長方形と第３長方形）をしっかり固定しなければならない。しかし、縁が切れている面によって締め付けトルクが高い基面１１が構成されているため、その懸念を解消することができ、強固な構造体（建築物）を構築することができる。
【００１８】
上述のようにブラケット１０の使用方法を説明したが、これは最も効果的な使用方法を示しただけであり、この使用方法に限定されるものではない。たとえば、鋼板１５の第２長方形１８を基面とし、第１長方形を支持面とするようにブラケットを形成し、使用してもよい。
また、ブラケット１０を構成する各面の形状も特に限定されるものではなく、鋼板１５の第１長方形、第２長方形、第３長方形のいずれかまたは全部を正方形にしてもよい。さらに、鋼板１５の直角三角形の斜辺が内側または外側に湾曲していてもよい。また鋼板１５の直角三角形が台形などの矩形であっても、リブ面として働く形状であれば特にその形状は限定されるものではない。
さらに、この実施の形態ではブラケットと柱または梁の固定手段としてボルト／ナットを開示しているが、これらの固定手段にスポット溶接でサポートしてもよい。またケーブルで固定したりサポートしても良い。特に梁と支持面との固定はボルト／ナットを用いることなくスポット溶接だけで固定してもよい。
【００１９】
図４に示すブラケット３０は、基面３１と、支持面３２と、リブ面３３とからなり、図５に示す鋼板３５の展開面を折り曲げることにより形成され、他の構成は図１のブラケット１０と実質的に同じである。
鋼板３５は、支持面３２を構成する第２長方形３６と、その第２長方形の長辺３６ａと直角を挟む一方の辺３７ａで連続している２つの直角三角形３８と、直角三角形の直角を挟む他方の辺３７ｂと連続している２つの第３長方形３９とからなる。また、第３長方形および第２長方形にはそれぞれ孔４０ａ、４０ｂが形成されている。
この鋼板３５の２つの直角三角形３８を第２長方形３６に対して垂直に折り曲げ、さらに、２つの第３長方形３９を直角三角形に対して垂直に折り曲げることにより形成される。ここで第３長方形３９は互いに重なりあい、基面３１を構成する。
このようにブラケット３０は形成されることにより、図１のブラケット１０と同じ作用を奏する。
【００２０】
図６ａに示すブラケット４０、図６ｂに示すブラケット４５は、それぞれの基面が折りたたまれた鋼板を３枚重ねて構成されている。それ以外は図１に示すブラケット１０と実質的に同じである。
図６ａのブラケット４０は、図２の想像線で示すように第１長方形の延長部４３をさらに外側に１８０度折り曲げたものであり、これにより、基面４１の取付孔の４２周辺では３枚の鋼板が重なっている。また、図６ａの想像線で示すように第１長方形の延長４３を内側に１８０度折り曲げてもよい。
また、図６ｂのブラケット４５は、図５の鋼板３５の想像線に示す第１長方形４６を第２長方形に対して垂直に折り曲げることによって形成される。これにより基面４７は３枚の鋼板によって構成される。
このように基面が３枚の鋼板によって構成されることにより、一層大きい負荷に対して耐えうる。
【００２１】
本発明のブラケットは、溶接を行うことなく所定の形状に切り取った鋼板（展開面）を折り曲げることによりそれぞれが垂直に設けられる基面、支持面、リブ面を形成するものであり、その形態は上記に示すものに限定されない。
上述の実施形態では基面の少なくとも一部が重なっているものを開示したが、図２の鋼板１５の展開面において第１長方形を省いたものから形成した重なり部位を有さない基面を備えたブラケットも本発明のブラケットに含まれる。このとき、基面は２つの第３長方形によって形成されるが、これらの第３長方形は必ずしも接していなくてもよく、２つに分かれていてもよい。
また、図５の鋼板３５の展開面において、直角三角形３８および第３長方形３９の片方を有さない展開面を折り曲げて形成したリブ面３３を一つのみを有するブラケットも本発明のブラケットに含まれる。
【図面の簡単な説明】
【００２２】
【図１】本発明のブラケットの実施形態を示す斜視図である。
【図２】図１のブラケットの展開面を示す展開図である。
【図３】図１のブラケットを用いて柱と梁の連設を表す概略図である。
【図４】本発明のブラケットの他の実施形態を示す斜視図である。
【図５】図４のブラケットの展開面を示す展開図である。
【図６】図６ａ、図６ｂは本発明のブラケットのさらに他の実施形態を示す斜視図である。
【図７】従来のブラケットを示す斜視図である。
【符号の説明】
【００２３】
１０    ブラケット
１１    基面
１２    支持面
１３    リブ面
１３ａ、１３ｂ  辺
１４ａ、１４ｂ  取付孔
１５    鋼板
１６    第１長方形
１８    第２長方形
１８ａ  長辺
１８ｂ  短辺
２０ａ  一方の辺
２０ｂ  他方の辺
２１    直角三角形
２２    第３長方形
２３ａ、２３ｂ  孔
２４    孔
２５    柱
２６    梁
３０    ブラケット
３１    基面
３２    支持面
３３    リブ面
３５    鋼板
３６    第２長方形
３６ａ  長辺
３７ａ  一方の辺
３７ｂ  他方の辺
３８    直角三角形
３９    第３長方形
４０    ブラケット
４１    基面
４３    第１長方形の延長部
４５    ブラケット
４６    第１長方形
１００  ブラケット
１０１  ブラケット本体
１０２  リブ
【図１】
2006052582.tif 000003
【図２】
2006052582.tif 000004
【図３】
2006052582.tif 000005
【図４】
2006052582.tif 000006
【図５】
2006052582.tif 000007
【図６】
2006052582.tif 000008
【図７】
2006052582.tif 000009